(57)【要約】【課題】消去部材付筆記具の消去部材を保護する天冠の筆記具の軸筒の後端部からの取り外しを容易にする。【解決手段】紙面に筆記した筆跡を消去可能な消去部材７を軸筒の端部に備え、軸筒の端部には消去部材７を覆って保護する天冠１０が取り付けられる消去部材付筆記具１において、天冠１０の内周面には突起１１又は突条を設け、軸筒の端部の天冠１０の取付部には、突条又は突起１１を設け、天冠１０の外周面には筆記具の前後方向に平行な複数条のリブ状の突出部１４を設け、天冠１０は、その突起１１又は突条を軸筒側の突条又は突起を乗り越えさせて軸筒に取り付けた。この結果、天冠１０を軸筒から取り外す時は、天冠１０の外周面のリブ状の突出部１４を利用して天冠１０を把持できるので、消去部材７の使用時に天冠１０を軸筒から容易に外すことができる。【選択図】図５
2019188817.tif 000002
【特許請求の範囲】
【請求項１】
紙面に筆記した筆跡を消去可能な消去部材を軸筒の後端部に備え、前記軸筒の後端部には前記消去部材を覆って保護する天冠が取り付けられ、前記天冠をノックすることによって軸筒の先端部からリフィルのペン先を出没させ、前記軸筒の内部には熱変色性インクが収容された筆記用のリフィルがあり、前記リフィルによって筆記された筆跡は、前記消去部材によって擦過した際に生じる摩擦熱で熱変色可能であるノック式の消去部材付筆記具において、
前記消去部材は、前記筆記具の軸筒内に設けられ、前記天冠のノック操作で前記リフィルのペン先に出没動作を行わせるノック機構の最も前記後端部側に位置するノック棒に、嵌合によって接続し、
前記ノック棒には分割部を設けて、前記消去部材側ノック棒と前記ペン先側ノック棒に分割可能に形成し、
前記天冠は、その外周面にクリップを形成して前記消去部材側ノック棒に着脱可能にし、
前記消去部材側ノック棒と前記ペン先側ノック棒の前記分割部は、前記ノック式の筆記具が筆記状態でも前記軸筒の後端部から外部に露出して、前記消去部材側ノック棒が前記ペン先側ノック棒から分割可能になっていることを特徴とする消去部材付筆記具。
【請求項２】
前記天冠の前記外周面には、前記クリップを除く部分に、軸線方向に複数条形成されたリブ状の突条が形成されていることを特徴とする請求項１に記載の消去部材付筆記具。
【発明の詳細な説明】
【技術分野】
【０００１】
本発明は、筆記具で紙面に筆記した筆跡を消去可能な消去部材を保護する保護部材を備える消去部材付筆記具に関する。
【背景技術】
【０００２】
近年、熱変色性インクを使用したボールペンやカラーマーカー等の筆記具が普及している。このような熱変色性インクを使用した筆記具の軸筒の後方（筆記具のペン先側を前方、反対側を後方とする）には、弾性材料で形成された摩擦体が設けられており、筆記した筆跡を摩擦体で擦って生じる熱で熱変色性インクを熱変色させて筆跡を消去している。尚、ここで言う、筆跡は、紙面に書かれている文字や絵の両方を意味するものとする（大辞林第三版参照）。
【０００３】
このような熱変色性インクを使用した筆記具では、摩擦体が軸筒の後方に露出した状態で設けられているために、非使用時に摩擦体に埃や手垢が付着することがある。このため、筆記後に埃や手垢が付着した摩擦体で筆跡を擦ると、埃や手垢が紙面に移って紙面を汚す場合があった。
【０００４】
そこで、非使用時には摩擦体をカバーで覆うようにした熱変色性筆記具が特許文献１に開示されている。特許文献１では、摩擦体が露出状態で取り付けられた筆記具の軸筒の後端開口部の周囲に雄ネジを形成し、摩擦体に被せるカバーの開口部の内周面には雌ネジを形成して、カバーを軸筒の後端部に螺合させて非使用時の摩擦体を隠している。
【０００５】
そして、特許文献１では、筆記具の軸筒の後端部に螺合させたカバーが、軸筒の後端部から外れないようにするために、カバーを軸筒の後端部に螺合させて摩擦体に被せた時に、カバーの底部が摩擦体に圧着するようにして、螺合部に摩擦体の弾発力を作用させている。また、特許文献１には、カバーの底部にスポンジを貼り付けたり、ブラシを取り付けたりして、カバーを筆記体の軸筒に螺合させた時に、螺合部にスポンジやブラシによる弾発力が作用する構造も開示されている。
【０００６】
ところが、特許文献１に記載の熱変色性筆記具では、カバーを軸筒の後端部に完全に螺合させるまでには、カバーと軸筒の後端部とを何周も相対回転させる必要があり、カバーの軸筒の後端部への装着までに時間がかかるという課題があった。また、カバーを軸筒の後端部に完全に装着させるまでの相対回転数が多いために、装着が完了したと思って回転を途中でやめた場合には、カバーと軸筒の後端部との螺合強度が小さく、カバーが外れてカバーを紛失するという課題もあった。
【０００７】
そこで、カバー（以後、天冠と言う）に内周方向に突起を設け、摩擦体が設けられた軸筒の後端部の外周面に、天冠側の突起に係合する突条を設け、天冠を軸筒に取り付ける時に、天冠側の突起が軸筒の後端部の外周面に設けた突条を乗り越えて突条に係止されるようにして、天冠を軸筒の後端部に取り付ける構造が特許文献２に開示されている。
【先行技術文献】
【特許文献】
【０００８】
【特許文献１】特開２０１４−１２４８１０号公報
【特許文献２】特開２０１４−１４１０７７号公報
【発明の概要】
【発明が解決しようとする課題】
【０００９】
しかしながら、特許文献２に記載の熱変色性筆記具は、天冠側の内周面に設けられた突起を、軸筒の後端部側の突条を乗り越えさせて天冠を軸筒の後端部に取り付ける構造であり、天冠の取り付け時には問題ないが、天冠を軸筒の後端部から外す時に、天冠が軸筒の後端部から外し難いという課題があった。これは、天冠を軸筒の後端部に嵌める時は、天冠の後端部の端面を押すことによって押し込みが容易であるが、天冠を軸筒の後端部から外す時は、天冠の側面を持って取り外すので、天冠が把持し難いからである。
【００１０】
本発明は、消去部材付筆記具の消去部材を保護する保護部材（カバー）である天冠を容易に筆記具の軸筒の後端部に取り付けることができると共に、容易に筆記具の軸筒の後端部から取り外すことが可能な消去部材付筆記具を提供することを目的とする。
【課題を解決するための手段】
【００１１】
本発明の一態様によれば、紙面に筆記した筆跡を消去可能な消去部材を軸筒の後端部に備え、軸筒の後端部には消去部材を覆って保護する天冠が取り付けられる消去部材付筆記具において、天冠の外周面に、天冠の把持を補助する突出部を設けたことを特徴とする消去部材付筆記具が提供される。
【００１２】
突出部は、外周面の軸線方向に複数条形成されたリブ状の突条とすることができる。また、突出部は、天冠の外周面に形成されたクリップとすることができる。更に、軸筒の内部には熱変色性インクが収容された筆記用のリフィルがあり、リフィルによって筆記された筆跡は、消去部材によって擦過した際に生じる摩擦熱で熱変色可能である。
【００１３】
そして、天冠を軸筒の後端部に取り付ける機構としては以下の態様が考えられる。
（ａ）天冠の内周面に第１の突条を設け、軸筒の後端部の外周面に第２の突条を設け、第１の突条が第２の突条を乗り越えて天冠が軸筒の後端部に取り付けられる態様。
（ｂ）天冠の内周面に突条を設け、軸筒の後端部の外周面に複数の突起を設け、突条が突起を乗り越えて天冠が軸筒の後端部に取り付けられる態様。
（ｃ）天冠の内周面に複数の突起を設け、軸筒の後端部の外周面に突条を設け、突起が突条を乗り越えて天冠が軸筒の後端部に取り付けられる態様。
（ｄ）天冠の内周面に突条を設け、軸筒の後端部の外周面に円周溝を設け、突条が円周溝に嵌合して天冠が軸筒の後端部に取り付けられる態様。
（ｅ）天冠の内周面に円周溝を設け、軸筒の後端部の外周面に突条を設け、円周溝に突条が嵌合して天冠が軸筒の後端部に取り付けられる態様。
【００１４】
更に、消去部材付筆記具がノック式筆記具である場合、ノック式筆記具には以下の態様が可能である。
（１）軸筒と、天冠と、天冠が取り付けられるノック棒とを具備し、天冠を前方に押圧するノック操作を行うことによって、筆記状態と非筆記状態とが切り替え可能なノック式筆記具の態様。
（２）ノック棒の前方に配置され、重力によって軸筒内を前後方向に移動可能なノックロック部材と、軸筒の内面に設けられ、ノックロック部材と係止可能な係止部とを更に具備し、軸筒の前端を上方へ向けると、ノックロック部材が後方へ移動して係止部と係止し、操作部の前方への移動が阻止されるノック式筆記具の態様。
【発明の効果】
【００１５】
本発明の消去部材付筆記具によれば、消去部材を保護して筆記具の軸筒の後端部に取り付けられた天冠を、筆記具の軸筒の後端部から容易に取り外すことができる。
【図面の簡単な説明】
【００１６】
【図１】（ａ）は本発明の第１形態の消去部材付筆記具の、非筆記状態における正面図、（ｂ）は（ａ）に示した消去部材付筆記具の縦断面図、（ｃ）は（ｂ）に示した消去部材付筆記具の、後ろ側を部分的に拡大した部分拡大断面図である。
【図２】（ａ）は図１（ａ）に示した消去部材付筆記具から天冠が取り外された状態を示す正面図、（ｂ）は図１（ｂ）に示した消去部材付筆記具から天冠が取り外された状態を示す縦断面図、（ｃ）は図１（ｃ）に示した状態から天冠が取り外された状態を示す部分拡大断面図である。
【図３】本発明の第１形態の消去部材付筆記具に使用する第１実施例の天冠の構造を示すものであり、（ａ）は天冠をノック棒挿入側から見た斜視図、（ｂ）は天冠を後ろ側から見た斜視図、（ｃ）は天冠の正面図、（ｄ）は天冠の左側面図、（ｅ）は天冠の右側面図、（ｆ）は天冠の軸線方向の断面図である。
【図４】本発明の第１形態の消去部材付筆記具に使用する第１実施例のノック棒の構造を示すものであり、（ａ）はノック棒を筆記具の先端側から見た斜視図、（ｂ）はノック棒を後ろ側から見た斜視図、（ｃ）はノック棒の正面図、（ｄ）はノック棒の左側面図、（ｅ）はノック棒の右側面図、（ｆ）はノック棒の軸線方向の断面図である。
【図５】（ａ）は図３に示した天冠を図４に示したノック棒を備える筆記具の後端側から、ノック棒に取り付ける動作を示す斜視図、（ｂ）は（ａ）に示した状態から天冠がノック棒に取り付けられた状態を示す斜視図である。
【図６】本発明の第１形態の消去部材付筆記具に使用する第１から第３実施例のノック棒の後端部分と、これに取り付けられる第１から第３実施例の天冠の、使用可能な組み合わせを示す説明図である。
【図７】本発明の第１形態の消去部材付筆記具に使用する第４実施例の天冠の構造を示すものであり、（ａ）は天冠をノック棒挿入側から見た斜視図、（ｂ）は天冠を後ろ側から見た斜視図、（ｃ）は天冠の正面図、（ｄ）は天冠の左側面図、（ｅ）は天冠の右側面図、（ｆ）は（ｄ）に示した天冠のＡ−Ａ線における断面図である。
【図８】（ａ）は本発明の第２形態の消去部材付筆記具の、筆記状態における正面図、（ｂ）は（ａ）に示した消去部材付筆記具の縦断面図、（ｃ）は（ｂ）に示した消去部材付筆記具の、後ろ側を部分的に拡大した部分拡大断面図である。
【図９】（ａ）は図８（ａ）に示した消去部材付筆記具が非筆記状態の時に天冠が取り外された状態を示す正面図、（ｂ）は図８（ｂ）に示した消去部材付筆記具が非筆記状態の時に天冠が取り外された状態を示す縦断面図、（ｃ）は図８（ｃ）に示した状態から天冠が取り外された状態を示す部分拡大断面図である。
【図１０】本発明の第２形態の消去部材付筆記具に使用する第５実施例の天冠の構造を示すものであり、（ａ）は天冠の平面図、（ｂ）は天冠をクリップの基部側から見た斜視図、（ｃ）は天冠の正面図、（ｄ）は天冠の左側面図、（ｅ）は天冠の右側面図、（ｆ）は天冠をクリップの先端側から見た斜視図、（ｇ）は天冠の軸線方向における断面図である。
【図１１】（ａ）は本発明の第２形態の消去部材付筆記具に使用する第４実施例のノック棒の、消去部材側ノック棒の構造を示すものであり、（ａ）は消去部材側ノック棒を筆記具の先端側から見た斜視図、（ｂ）は消去部材側ノック棒を後ろ側から見た斜視図、（ｃ）は消去部材側ノック棒の正面図、（ｄ）は消去部材側ノック棒の左側面図、（ｅ）は消去部材側ノック棒の右側面図、（ｆ）は第５実施例の消去部材側ノック棒の正面図、（ｇ）は消去部材側ノック棒の軸線方向の断面図である。
【図１２】（ａ）は図１１に示した消去部材側ノック棒を、第４実施例のノック棒におけるカム側ノック棒に結合する様子を示す正面図、（ｂ）は（ａ）の断面図、（ｃ）はカム側ノック棒に消去部材側ノック棒が結合された状態の正面図である。
【図１３】（ａ）は図１０に示した天冠を、図１２（ｃ）に示したノック棒を備える消去部材付筆記具の後端側から、ノック棒に取り付ける動作を示す斜視図、（ｂ）は（ａ）に示した状態から天冠がノック棒に取り付けられた状態を示す斜視図である。
【図１４】（ａ）は第２形態の消去部材付筆記具に使用する第６実施例の天冠の断面図、（ｂ）は第２形態の消去部材付筆記具に使用する第７実施例の天冠の断面図である。
【図１５】第２形態の消去部材付筆記具に使用する第８実施例の天冠の正面図である。
【発明を実施するための形態】
【００１７】
以下、図面を参照しながら本発明の実施の形態を詳細に説明する。全図面に渡り、対応する構成要素には共通の参照符号を付す。
【００１８】
図１（ａ）は本発明の第１形態の消去部材付筆記具１に第１実施例の天冠１０が取り付けられて非筆記状態であるものを正面から見たものであり、図１（ｂ）は図１（ａ）に示した消去部材付筆記具１の縦断面を示している。図１（ａ）に示すように、第１形態の消去部材付筆記具１はノック式筆記具であり、クリップ９が本体部に設けられており、筆記側の反対側に天冠１０が設けられている。以後の説明では筆記側を前方或いは前側と記し、筆記側の反対側を後方或いは後ろ側と記す。また、消去部材付筆記具１は以後ノック式筆記具１とも記す。ノック式筆記具１は、軸筒が前軸２、後軸３及びクリップ９を備える内筒８を備えている。
【００１９】
また、図１（ｂ）に示すように、ノック式筆記具１の前軸２、後軸３及び内筒８の内部には、一端に筆記部５ａを備えた筆記体であるリフィル５と、リフィル５を後方へ付勢するスプリング６と、後軸３の後ろ側の端部（後端部）に配置されたノック機構５０がある。リフィル５には、例えば、後述する消去部材で擦られると摩擦熱で変色して透明になる熱変色性インク、或いは後述する消去部材で紙面から剥ぎ取ることができるインクが収容されているものとする。
【００２０】
ノック機構５０には、天冠１０に接続するノック棒３０と、ノック棒３０とリフィル５との間に設けられた回転子６０がある。前軸２の前側はテーパ状に形成され、前側の端部（前端部）にはリフィル５の筆記部５ａを突出させるための貫通孔２ａが形成されている。天冠１０を押圧するノック操作を行うと、ノック棒３０と回転子６０により、リフィル５の筆記部５ａが貫通孔２ａから突出する筆記状態と、筆記部５ａが貫通孔２ａの内側に収容される非筆記状態になる。
【００２１】
更に、ノック棒３０の後ろ側の端部（後端部）には消去部材７が取り付けられている。消去部材７は、ノック棒３０に対して、嵌合（圧入）、接着又は二色成形等によって取り付けることができる。そして、天冠１０はこの消去部材７を覆うようにノック棒３０の後端部に取り付けられる。前軸２の後ろ側は、後軸３の前端部の内部に挿入され、螺合している。内筒８は、後軸３と一体に形成しても良く、また、前軸２及び後軸３も、一体に形成しても良い。これに加えて、軸筒内において、ノック機構５０の前方、すなわちノック棒３０の前方には、ノックロック部材４が配置されている。
【００２２】
ノックロック部材４は、重力によって後軸３内を前後方向に移動可能であり、筆記部５ａが下を向いてノックロック部材４が後軸３内を前軸２側に移動した時には、ノック機構５０に作用することなく、天冠１０によるノック操作を可能にする。一方、消去部材７が下を向いて、ノックロック部材４が後軸３内を回転子６０側に移動した時には、ノック機構５０に作用して、天冠１０によるノック操作ができないようにする。これは、天冠１０が外されて消去部材７を使用して紙面上の筆跡を消去する場合に、消去部材７は本体に対して固定した方が良いからである。
【００２３】
なお、天冠１０が押圧された時のノック機構５０によるノック式筆記具１の筆記状態と非筆記状態の切り換え、及びノックロック部材４の移動による回転子の動作／非動作については、直接本発明と関係がないので、これ以上の説明を省略する。
【００２４】
図１（ｃ）は図１（ｂ）に示したノック式筆記具１の、後ろ側を部分的に拡大して示すものである。ノック棒３０の後端部には消去部材取付穴３７が設けられており、この消去部材取付穴３７に消去部材７が嵌合、圧入、或いは接着によって設けられている。また、消去部材７は、ノック棒３０に対して二色成形等によって設けることが可能である。そして、ノック棒３０の後端部には、消去部材７を覆う天冠１０が着脱可能に取り付けられている。
【００２５】
図２（ａ）は図１（ａ）に示したノック式筆記具１から天冠１０が取り外された状態を示すものであり、図２（ｂ）は図２（ａ）に示したノック式筆記具１の縦断面を示している。また、図２（ｃ）は図１（ｃ）に示した状態から天冠１０がノック棒３０の後端部から取り外された状態を示している。天冠１０を取り外すと消去部材７が露出する。ここで、第１形態のノック式筆記具１に使用する天冠１０の、第１実施例の構造及びノック棒３０の構造について図３から図５を用いて説明する。
【００２６】
図３（ａ）は第１実施例の天冠１０をノック棒の挿入側（前方）から見たものであり、図３（ｂ）は図３（ａ）に示した天冠１０を反対側から見たものである。また、図３（ｃ）は図３（ａ）に示した天冠１０を横にして正面から見たものであり、図３（ｄ）は図３（ｄ）に示した天冠１０の左側面図であり、図３（ｅ）は天冠１０の右側面図である。更に、図３（ｆ）は天冠１０の軸線方向の断面を示すものである。
【００２７】
第１実施例の天冠１０は円筒形の筒体の一方の端部に底面１５を設けたものであり、開口１６に近い側の内周面には、所定の等間隔で突起１１を設けてある。また、第１実施例では突起１１の数は４個であるが、突起１１の数は特に限定されない。しかし、天冠１０をノック棒に取り付ける際に、均一な押し込み力で取り付けられるように、突起１１は等間隔で設けることが望ましい。突起１１の天冠１０の内周面からの高さは、図３（ｄ）から分かるように、ごく僅かである。また、突起１１の外形は長円状或いは楕円状である。本実施例の突起１１の頂面は平面状であるが、ドーム状に盛り上げても良い。
【００２８】
一方、天冠１０の外周面には、天冠１０の軸線に平行なリブ状の突出部１４が複数条設けられている。突出部１４は天冠１０の外周面に、天冠１０の軸線を中心とした放射状に等間隔で突設されており、突出部１４は天冠１０の底面１５がある側で、テーパ部１４ａにより天冠１０の外周面からの高さが次第に低くなるように形成されている。そして、突出部１４と突出部１４の間の天冠１０の外周面は、天冠１０を前後方向に連絡する溝１３となっており、これが天冠１０の誤飲時の気道となるため、第１実施例の天冠の底面１５に通気孔は設けられていない。
【００２９】
図４（ａ）は、図１（ｂ）、図２（ｂ）に示したノック式筆記具１のノック機構５０における、消去部材７を備えた第１実施例のノック棒３０を示すものである。また、図４（ｂ）は図４（ａ）に示したノック棒３０を反対側から見たものであり、図４（ｃ）は図４（ａ）に示すノック棒３０を横にして正面から見たものである。そして、図４（ｄ）は図４（ｃ）に示すノック棒３０を左側から見たものであり、図４（ｅ）は右側から見たものである。更に、図４（ｆ）は図４（ｃ）に示すノック棒３０の軸線方向の断面を示している。
【００３０】
第１実施例のノック棒３０にはノック機構の回転子に接続する大径部３３があり、大径部３３に隣接して天冠１０の取付部である小径部３４がある。大径部３３の回転子側（前方）には外周面に突起があり、前端部にカムが形成されており、内部には後述する消去部材取付穴３７に連通する連通孔３９がある。突起やカムについては本発明と直接関係がないので、ここではこれらの説明を省略する。
【００３１】
小径部３４は大径部３３よりも僅かに小さな直径を有する。大径部３３の一部の内部と小径部３４の内部には、図４（ｆ）に示すように、消去部材７を保持する消去部材取付穴３７が設けられており、この消去部材取付穴３７に消去部材７が取り付けられている。前述のように、消去部材７は、別部品として消去部材取付穴３７に対して、嵌合、圧入、又は接着されるか、或いは大径部３３と小径部３４と共に二色成形によって設けられる。消去部材７の直径は、図３で説明した天冠１０の内径よりも小さい。
【００３２】
また、小径部３４の外周面には、円環状に突条３２が設けられている。突条３２の小径部３４の外周面からの高さはごく僅かであり、突条３２と大径部３３との間の距離は、図３（ｆ）に示した天冠１０の、開口１６から突起１１の底面１５側の端部までの距離に等しい。このため、天冠１０がノック棒３０に取り付けられると、突起１１が突条３２を乗り越え、図１（ｃ）に示したように、突起１１が突条３２によって係止される。
【００３３】
図５（ａ）は図３に示した天冠１０を、図４に示したノック棒３０を備えるノック式筆記具１の後端側から、ノック棒３０に取り付ける動作を示すものである。ノック棒３０は、ノック式筆記具１の内筒８の後端部にある開口部８ａから、小径部３４の先端部及び消去部材７が突出した状態でノック式筆記具１に取り付けられている。天冠１０をノック式筆記具１の後端側に取り付ける場合は、天冠１０を消去部材７に被せて、開口部８ａから内筒８に差し込む。すると、天冠１０の内周面に設けられた突起１１が、小径部３４の突条３２を乗り越えてノック棒３０に取り付けられる。
【００３４】
図５（ｂ）は図５（ａ）に示した状態から天冠１０がノック式筆記具１の内筒８に挿入されてノック棒３０に取り付けられた状態を示すものである。この状態では、図１（ｃ）に示すように、天冠１０に設けられた突起１１が突条３２を乗り越えて、突条３２と大径部３３との間の小径部３４の外周面に位置しており、突起１１と突条３２が係合している。この結果、ノック式筆記具１の後端部からノック棒３０に取り付けた天冠１０が抜け難くなる。そして、天冠１０に溝１３と突出部１４があることにより、天冠１０を把持し易くなって、天冠１０をノック棒３０から外し易くなる。突出部１４の数や溝１３の深さ及び形状は特に限定されるものではなく、ノック棒３０に差し込んだ天冠１０を外し易ければ良い。したがって、例えば、天冠１０が金属製である場合には、天冠１０の外表面にローレット加工、梨地加工等を施しても良い。
【００３５】
第１実施例の天冠１０は、その内周面に突起１１が設けられたものであり、第１実施例のノック棒３０は、小径部３４の外周面に環状の突条３２が設けられたものであった。第１実施例の天冠１０を、図６の最も上の右側の図に断面で示し、第１実施例のノック棒３０を図６の最も上の左側の図に、その後端部側の部分のみを示してある。
【００３６】
一方、天冠については、図６の中央の右側の図に断面で示す第２実施例の天冠１０Ａ及び図６の最も下の右側の図に断面で示す第３実施例の天冠１０Ｂが可能である。第２実施例の天冠１０Ａは、内周面に突起の代わりに環状に突条１２が設けられたものである。第３実施例の天冠１０Ｂは、内周面に環状溝１８が設けられたものである。環状溝１８の位置は第１実施例の天冠１０における突起１１の位置よりも底面１５側に近く、第１実施例のノック棒３０との結合時に、突条３２を受け入れる位置である。
【００３７】
また、ノック棒については、図６の中央の左側の図に後端部を示す第２実施例のノック棒３０Ａ、及び図６の最も下の左側の図に後端部を示す第３実施例のノック棒３０Ｂが可能である。第２実施例のノック棒３０Ａは、小径部３４の外周面に、突条の代わりに所定間隔で設けられた突起３１を備えるものである。第３実施例のノック棒３０Ｂは、小径部３４の外周面に第１実施例の天冠１０の突起１１或いは第２実施例の天冠１０Ａの突条１２を受け入れる環状溝３８を備えるものである。このため、環状溝３８の位置は第１実施例のノック棒３０における突条３２の大径部３３からの位置よりも大径部３３に近い。
【００３８】
図６には、第１実施例の天冠１０、第２実施例の天冠１０Ａ及び第３実施例の天冠１０Ｂと、第１実施例のノック棒３０、第２実施例のノック棒３０Ａ及び第３実施例のノック棒３０Ｂの、可能な組み合わせが矢印で示してある。第１実施例の天冠１０は、第１と第３実施例のノック棒３０、３０Ｂと組み合わせることが可能である。また、第２実施例の天冠１０Ａは、第１から第３実施例のノック棒３０、３０Ａ、３０Ｂの全てと組み合わせることが可能である。更に、第３実施例の天冠１０Ｂは、第１と第２実施例のノック棒３０、３０Ａと組み合わせることが可能である。
【００３９】
図７（ａ）から（ｆ）は、本発明の第１形態のノック式筆記具１に使用する第４実施例の天冠１０Ｃの構造を示すものであり、図３（ａ）から（ｆ）に示した第１実施例の天冠１０と同じ状態の図面が示されている。第４実施例の天冠１０Ｃが第１実施例の天冠１０と異なる点は、底面１５により通気量を確保するための通気孔１７が設けられている点のみである。第４実施例の天冠１０Ｃでは、通気孔１７は円弧状の長孔であり、２つ設けられているが、通気孔１７の形状及び個数は特に限定されず、通気量が増えれば良い。
【００４０】
図８（ａ）は本発明の第２形態のノック式筆記具１Ａに第５実施例の天冠２０が取り付けられて筆記状態にあるものを正面から見たものであり、図８（ｂ）は図８（ａ）に示したノック式筆記具１Ａの縦断面を示している。また、図９（ａ）は図８（ａ）に示したノック式筆記具１Ａが非筆記状態で天冠２０が取り外された状態を正面から見たものであり、図９（ｂ）は図９（ａ）に示したノック式筆記具１Ａの縦断面を示している。更に、図８（ｃ）は図８（ｂ）の後端部を部分的に拡大して示しており、図９（ｃ）は図９（ｂ）に示すノック式筆記具１Ａの後端部を部分的に拡大して示している。
【００４１】
第２形態のノック式筆記具１Ａでも本体部の構造は第１形態のノック式筆記具１と同様であり、本体部には前軸２、後軸３及び内筒８を備えている。ノック式筆記具１Ａの前軸２、後軸３及び内筒８の内部には、リフィル５、スプリング６及びノック機構５０がある点もノック式筆記具１と同様である。ノック機構５０にはノック棒４０と、ノック棒４０とリフィル５との間に設けられた回転子６０があり、回転子６０はノック式筆記具１と同様であるが、ノック棒４０の構造がノック式筆記具１のノック棒３０の構造と異なる。ノック棒４０の構造については後述する。
【００４２】
前軸２の前側がテーパ状に形成され、前側の端部（前端部）にはリフィル５の筆記部５ａを突出させるための貫通孔２ａが形成されている点もノック式筆記具１と同様である。第２形態のノック式筆記具１Ａでも、天冠２０を押圧するノック操作を行うと、ノック棒４０と回転子６０により、リフィル５の筆記部５ａが貫通孔２ａから突出する筆記状態（図８（ａ）、（ｂ））と、筆記部５ａが貫通孔２ａの内側に収容される非筆記状態（図９（ａ）、（ｂ））になる。ノック棒４０の前方に配置されたノックロック部材４についても、その機能は第１形態のノック式筆記具１におけるノックロック部材４の機能と同じであり、直接本発明と関係がないので、これ以上の説明を省略する。
【００４３】
第２形態のノック式筆記具１Ａが第１形態のノック式筆記具１と異なる点は、天冠２０の外周面２１にクリップ９が設けられている点と、ノック棒４０がカム側ノック棒４１と消去部材側ノック棒４２に分かれている点である。ノック棒４０は、通常は一体化しているが、消去部材側ノック棒４２がカム側ノック棒４１から分離可能である。図８（ｃ）及び図９（ｃ）に示すように、カム側ノック棒４１は回転子６０に結合しており、消去部材側ノック棒４２に設けられた消去部材取付穴４７に消去部材７が取り付けられている。
【００４４】
第５実施例の天冠２０は消去部材側ノック棒４２に取り付けられる。消去部材７は、消去部材側ノック棒４２に対して接着によって取り付けられているが、消去部材７は消去部材側ノック棒４２に二色成形等によって設けることができる。カム側ノック棒４１と消去部材側ノック棒４２の結合部は、ノック式筆記具１Ａが筆記状態でも内筒８の開口部８ａから外部に露出している。ここで、天冠２０とノック棒４０について図１０から図１３を用いて説明する。
【００４５】
図１０（ａ）から図１０（ｆ）は、本発明の第２形態のノック式筆記具１Ａに使用する第５実施例の天冠２０を色々な方向から見たものであり、図１０（ｇ）は天冠２０の軸線方向における断面を示すものである。天冠２０はノック棒の端部に取り付けられた消去部材を覆って屑や手垢等から保護するものであり、消去部材の使用時にノック棒から取り外せるようになっている。天冠２０の外周面にはクリップ９が取り付けられているが、天冠２０の内周面２２には突起物はなく、内周面２２の内径は底面２６から開口２７に向かって、僅かに大きくなっている。
【００４６】
図１１（ａ）から図１１（ｅ）は、本発明の第２形態のノック式筆記具１Ａに使用する第４実施例のノック棒４０の消去部材側ノック棒４２を色々な方向から見たものであり、図１１（ｇ）は消去部材側ノック棒４２の軸線方向における断面を示すものである。消去部材側ノック棒４２には、カム側ノック棒４１と結合する結合部４３、消去部材７を保持する消去部材保持部４４及び結合部４３と消去部材保持部４４の間に設けられたフランジ部４５がある。結合部４３の外周面には環状の結合用突条４６が２条設けられており、消去部材保持部４４の外周面にも環状の係合用突条４８が設けられている。係合用突条４８は、外周面から僅かに盛り上がる程度の高さを備えている。
【００４７】
第４実施例では消去部材側ノック棒４２に環状の係合用突条４８が設けられているが、係合用突条４８を図１１（ｆ）に示すような環状に並ぶ係合用突起４８Ａとした、第５実施例の消去部材側ノック棒４２Ａも可能である。また、消去部材保持部４４には消去部材取付穴４７があり、消去部材取付穴４７の中に消去部材７が取り付けられている。消去部材７は別部材として消去部材取付穴４７に接着されるか、或いは二色成形によって消去部材保持部４４と共に形成することができる。
【００４８】
図１２（ａ）は、図１１で説明した第４実施例の消去部材側ノック棒４２をカム側ノック棒４１と共に示すものであり、図１２（ｂ）は図１２（ａ）に示したカム側ノック棒４１と消去部材側ノック棒４２の断面を示している。カム側ノック棒４１には消去部材側ノック棒４２の結合部４３を受け入れる連通孔３９が設けられており、連通孔３９の内周面には、消去部材側ノック棒４２の結合部４３の外周面に設けられた２条の結合用突条４６を係止する２条の結合用突条４９が設けられている。消去部材側ノック棒４２がカム側ノック棒４１に結合されると、図１２（ｃ）に示すようなノック棒４０が形成される。
【００４９】
図１３（ａ）は、図１０に示した天冠２０を、図１２（ｃ）に示したノック棒４０を備えるノック式筆記具１Ａの後端側から、ノック棒４０に取り付ける動作を示すものである。ノック棒４０は、ノック式筆記具１Ａの内筒８の後端部にある開口部８ａから、カム側ノック棒４１及び消去部材７が設けられた消去部材側ノック棒４２が突出した状態でノック式筆記具１Ａに取り付けられている。天冠２０をノック式筆記具１Ａの後端側に取り付ける場合は、天冠２０を消去部材７に被せて消去部材側ノック棒４２に装着する。これにより、天冠２０のテーパ状の内周面が、消去部材側ノック棒４２の消去部材保持部４４の外周面に形成された係合用突条４８に摩擦結合して消去部材側ノック棒４２に取り付けられる。
【００５０】
図１３（ｂ）は図１３（ａ）に示した状態から天冠２０がノック棒４０に取り付けられた状態を示すものである。この状態では、図８（ｃ）に示すように、天冠２０の内周面が消去部材側ノック棒４２の消去部材保持部４４の外周面に形成された係合用突条４８に摩擦結合して消去部材側ノック棒４２に係合している。天冠２０にはクリップ９が設けられているので、消去部材側ノック棒４２に対して天冠２０をクリップ９を利用して取り付けたり外したりが容易にできる。また、消去部材側ノック棒４２をカム側ノック棒４１から取り外して消去部材７を使用することもできる。
【００５１】
図１４（ａ）は第２形態のノック式筆記具１Ａに使用する第６実施例の天冠２０Ａの断面を示すものである。第５実施例の天冠２０は、天冠２０の内周面には突起物が設けられていなかったが、第６実施例の天冠２０Ａの内周面２２には、開口２７の近傍に内周面２２から僅かに突出する突条２３が設けられている。第６実施例の天冠２０Ａを消去部材側ノック棒４２に取り付けると、突条２３が図９（ｃ）に示した消去部材保持部４４の係合用突条４８とフランジ部４５との間の部分に嵌合するので、天冠２０Ａと消去部材側ノック棒４２との係合強度を増やすことができる。しかし、突条２３と消去部材保持部４４の係合用突条４８との係合はそれほど強いものではないので、天冠２０Ａに設けられているクリップ９を利用すれば、消去部材側ノック棒４２に対する天冠２０Ａの着脱が容易にできる。
【００５２】
図１４（ｂ）は第２形態のノック式筆記具１Ａに使用する第７実施例の天冠２０Ｂの断面を示すものである。第５実施例の天冠２０は、天冠２０の内周面には突起物が設けられていなかったが、第７実施例の天冠２０Ｂの内周面２２には、開口２７の近傍に内周面２２から僅かに突出する突起２４が設けられている。第７実施例の天冠２０Ｂを消去部材側ノック棒４２に取り付けると、突起２４が図９（ｃ）に示した消去部材保持部４４の係合用突条４８とフランジ部４５との間の部分に嵌合するので、天冠２０Ｂと消去部材側ノック棒４２との係合強度を強くすることができる。しかし、突起２４と消去部材保持部４４の係合用突条４８との係合はそれほど強いものではないので、天冠２０Ｂに設けられているクリップ９を利用すれば、消去部材側ノック棒４２に対する天冠２０Ｂの着脱が容易にできる。
【００５３】
図１５は、第２形態のノック式筆記具１Ａに使用する第８実施例の天冠２０Ｃを示すものである。第８実施例の天冠２０Ｃは、第５実施例の天冠２０の外周面２１のクリップ９が設けられていない部分に、第１から第４実施例の天冠１０、１０Ａ、１０Ｂ及び１０Ｃと同様に、天冠２０Ｃの軸線に平行なリブ状の突出部２５が複数条設けられている。突出部２５は天冠２０Ｃの外周面のクリップ９が設けられていない部分に、天冠２０Ｃの軸線を中心とした放射状に等間隔で突設すれば良い。突出部２５の天冠２０Ｃの底面２６がある側にはテーパ部２５ａが設けられている。天冠２０Ｃの外周面２１に突出部２５があることにより、天冠２０Ｃが把持し易くなり、天冠２０Ｃと消去部材側ノック棒４２との着脱が更に容易になる。突出部２５の形状や数は特に限定されるものではなく、天冠２０Ｃを把持し易ければ良い。したがって、例えば、天冠２０Ｃが金属製である場合には、天冠２０Ｃの外表面にローレット加工を施しても良い。
【００５４】
以上説明したように、本発明のノック式筆記具では、消去部材７は、使用時以外は、天冠１０、１０Ａ、１０Ｂ、１０Ｃ、２０、２０Ａ、２０Ｂ或いは２０Ｃによって覆われていることから、消去部材７の汚れを防止することが可能となっている。また、天冠１０、１０Ａ、１０Ｂ、１０Ｃ、２０、２０Ａ、２０Ｂ或いは２０Ｃは、ノック棒に対して簡単に取り付けることができると共に、ノック棒に取り付けられた天冠はノック棒から容易に取り外すことができる。
【００５５】
上述した実施例では筆記体であるリフィルには、熱変色性インクが収容されている。この場合、ノック式筆記具は熱変色性筆記具であり、消去部材は紙面を擦った場合に、紙面との間に摩擦熱を発生させる部材で形成され、発生した摩擦熱によって、ノック式筆記具の筆跡を熱変色可能である。なお、筆記体としては、熱変色インクを収容したボールペン、熱変色芯を収容したシャープペンシル、或いは鉛筆ホルダ等が考えられる。また、リフィルに消しゴムで消去可能な消しゴム消去式インクを収容したノック式筆記具が可能である。この場合は、消去部材には、消しゴムと同様に紙面からインクを剥ぎ取る場合に摩耗する部材が選択される。
【００５６】
ここで、熱変色性インクとは、常温（例えば２５℃）で所定の色彩（第１色）を維持し、所定温度（例えば６５℃）まで昇温させると別の色彩（第２色）へと変化し、その後、所定温度（例えば−１０℃）まで冷却させると、再び元の色彩（第１色）へと復帰する性質を有するインクを言う。熱変色性インクを用いた筆記具１では上記第２色を無色とし、第１色（例えば赤）で筆記した描線を昇温させて無色とすることを、ここでは「消去する」という。したがって、描線が筆記された筆記面等に対して消去部材としての摩擦体によって擦過して摩擦熱を生じさせ、それによって描線を無色に変化、即ち、消去させる。なお、当然のことながら上記第２色は、無色以外の有色でもよい。
【００５７】
また、消しゴムで消去可能な消しゴム消去式インクを収容したリフィルを使用する筆記具では、消しゴム消去性インクは、水と、平均粒子径１．０〜１５μｍの非熱可塑性着色樹脂粒子をインク組成物全量に対して、３〜３０重量％と、０．１〜１５重量％の非着色粒子とを少なくとも含有することが必要である。
【００５８】
本発明の水性インクに用いる着色樹脂粒子は、着色された樹脂粒子からなるものであり、非熱可塑性であり、かつ、平均粒子径が１．０〜１５μｍとなるものであり、例えば、樹脂粒子中に顔料からなる着色剤が分散された着色樹脂粒子、樹脂粒子の表面が顔料からなる着色剤で被覆された着色樹脂粒子、樹脂粒子に染料からなる着色剤が染着された着色樹脂粒子などが挙げられる。
【００５９】
本実施例では、着色樹脂粒子が非熱可塑性で上記平均粒子径を充足するものであれば、その構造〔中空構造あり、中空構造なし（密実）〕、形状（球状、多角形状、扁平状、繊維状）等は特に限定されるものでないが、好ましくは、優れた消しゴム消去性、筆記性、インクとしての経時安定性を発揮させる点から、ガラス転移点が１５０℃以上で熱分解温度に近く、更にはメルトフローインデックス値が０．１未満であるような分子内架橋を持つ粒子で粘着性を有せず、かつ、平均粒子径が１．０〜１５μｍとなる球状の着色樹脂微粒子の使用が望ましい。
【００６０】
消去部材を形成する材料として、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物、市販されている消しゴム等が挙げられる。
【００６１】
消去部材は、熱変色筆記具とする場合は、特にポリプロピレン樹脂及びスチレン系熱可塑性エラストマーの混合物、またはポリプロピレン樹脂及びポリプロピレン系熱可塑性エラストマーの混合物から形成され、その配合比率がそれぞれ重量比で１：１〜１：４であり、研磨剤、可塑剤、充填剤を含有せず、ＪＩＳ  Ｋ６２５１に規定されたデュロメータ硬度Ａが７０°〜１００°となる材質からなり、ＪＩＳ  Ｓ  ６０５０−２００２に規定する鉛筆描線の消し能力（消字率）が７０％以下のものである可塑剤を含有しない低摩耗性の弾性材料から形成される。それによって消去部材は、擦過時に消しカスが生じにくく、熱変色性も優れているので有効である。
【００６２】
なお、本発明における「消去」とは、上記熱変色性インクを用いた場合以外にも、筆記した描線、文字等を消しゴム等の消去部で吸着又は削ぎ落とすことをいう。更に、感圧式タッチペンや軸筒等に電導性を付与して静電容量式タッチペンの後端部に、消去部材と天冠を設けるような構成でもよい。したがって、本発明は、筆記具によって筆記された描線（筆跡）を消去できる、消去部材を備えた任意の文房具にも適用可能である。
【符号の説明】
【００６３】
１、１Ａ    消去部材付筆記具（ノック式筆記具）
７    消去部材
８    内筒
９    クリップ
１０、１０Ａ、１０Ｂ、１０Ｃ、２０、２０Ａ、２０Ｂ、２０Ｃ    天冠
１１、２４、３１    突起
１２、２３、３２    突条
１３    溝
１４、２５    突出部
３０、３０Ａ、３０Ｂ、４０    ノック棒
４１    カム側ノック棒
４２    消去部材側ノック棒
【図１】
2019188817.tif 000003
【図２】
2019188817.tif 000004
【図３】
2019188817.tif 000005
【図４】
2019188817.tif 000006
【図５】
2019188817.tif 000007
【図６】
2019188817.tif 000008
【図７】
2019188817.tif 000009
【図８】
2019188817.tif 000010
【図９】
2019188817.tif 000011
【図１０】
2019188817.tif 000012
【図１１】
2019188817.tif 000013
【図１２】
2019188817.tif 000014
【図１３】
2019188817.tif 000015
【図１４】
2019188817.tif 000016
【図１５】
2019188817.tif 000017
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
紙面に筆記した筆跡を消去可能な消去部材を軸筒の後端部に備え、前記軸筒の後端部には前記消去部材を覆って保護する天冠が着脱可能に取り付けられ、前記天冠をノックすることによって前記軸筒の先端部からリフィルのペン先を出没させ、前記軸筒の内部には熱変色性インクが収容された筆記用のリフィルがあり、前記リフィルによって筆記された筆跡は、前記消去部材によって擦過した際に生じる摩擦熱で熱変色可能であるノック式の消去部材付筆記具において、
前記消去部材は、前記筆記具の前記軸筒内に設けられ、前記天冠のノック操作で前記リフィルのペン先に出没動作を行わせるノック機構の最も前記後端部側に位置するノック棒に接続し、
前記ノック棒の外周面には突条が円環状に設けられ、前記天冠の内面には突起が設けられ、前記天冠が前記ノック棒に取り付けられると、前記突起が前記突条を乗り越えて係止され、
前記天冠の底面には通気孔が設けられ、
前記天冠の外周面には、リブ状の突出部が複数条設けられていることを特徴とする消去部材付筆記具。
【請求項２】
前記天冠の前記外周面には、クリップが設けられ、前記クリップを除く部分に、軸線方向に前記リブ状の突出部が形成されていることを特徴とする請求項１に記載の消去部材付筆記具。